(57)【要約】      （修正有）【課題】製造簡単及び低コストの携帯電話の蝶番を提供する。【解決手段】一端に開口１００が形成され、他端に十字状溝１０１が形成される本体１０と、開口を通じて本体の内部に挿入するスプリング１１と、開口を通じて本体の内部に挿入する移動ブロック１２と、一端に移動ブロックの波浪面１２０に合わせる波浪面１３０が設けられると共に、中央に貫通孔１３１が形成される回転ブロック１３と、回転ブロック、移動ブロック、スプリングと本体の十字状溝を貫通し、一端に外径が回転ブロックの貫通孔の内径より大きい突出リング１４０が設けられると共に、他端の付近に外径がより小さい、十字状溝の中央内径より大きい小径部１４１が設けられる貫通軸１４とを備える。【選択図】図２
0003101910.tif 000002
【実用新案登録請求の範囲】
【請求項１】
一端に開口（１００）が形成され、他端に十字状溝（１０１）が形成される本体（１０）と、             開口（１００）を通じて本体（１０）の内部に挿入するスプリング（１１）と、
開口（１００）を通じて本体（１０）の内部に挿入すると共に、前記スプリング（１１）と接触し、スプリング（１１）と対向する一端に中央に貫通孔（１２１）を有する波浪面（１２０）が設けられる移動ブロック（１２）と、
一端に移動ブロック（１２）の波浪面（１２０）に合わせる波浪面（１３０）が設けられると共に、中央に貫通孔（１３１）が形成される回転ブロック（１３）と、
前記回転ブロック（１３）、移動ブロック（１２）、スプリング（１１）と本体（１０）の十字状溝（１０１）を貫通し、一端に外径が回転ブロック（１３）における貫通孔（１３１）の内径より大きくの突出リング（１４０）が設けられると共に、他端の付近に外径がより小さい、十字状溝（１０１）の中央内径より大きくの小径部（１４１）が設けられる貫通軸（１４）と
を備えることを特徴とする携帯電話の蝶番。
【請求項２】
前記波浪面（１２０）と異なる移動ブロック（１２）の一端に、スプリングを位置決めるための位置決めブロック（１２２）が設けられることを特徴とする請求項１に記載の携帯電話の蝶番。
【考案の詳細な説明】
【技術分野】
【０００１】
本考案は、特に製造簡単及び低コストの携帯電話の蝶番に関するものである。
【背景技術】
【０００２】
図５及び図６に示すように、従来の折畳式携帯電話に使用する蝶番は本体（６０）と、回転ブロック（６５）と、移動ブロック（６８）と、スプリング（７０）とを有し、本体（６０）には一端が封閉端（６１）であり、他端が貫通孔（６２０）を有する開口（６２）であり、その一側に溝（６３）が形成されると共に、該溝（６３）の両側に固定プレート（６３０）が設けられる。
【０００３】
前記回転ブロック（６５）は前記溝（６３）を通じて本体（６０）の内部に挿入され、その一側に開口（６２）の貫通孔（６２０）に設置される方形回転ブロック（６６）が設けられると共に、他側に波浪面（６７）が設けられ、該波浪面（６７）の中央に位置決めロッド（６５０）が設けられる。
【０００４】
前記移動ブロック（６８）は前記溝（６３）を通じて本体（６０）の内部に挿入され、その一側に回転ブロック（６５）の波浪面（６７）に合わせる波浪面（６８）が設けられると共に、他側に位置決めブロック（６８１）が設けられ、該波浪面（６８）の中央に回転ブロック（６５）の位置決めロッド（６５０）を収納するための位置決め孔（６８０）が形成される。
【０００５】
前記スプリング（７０）は前記溝（６３）を通じて本体（６０）の内部に挿入され、その一端が本体（６０）の封閉端（６１）と接触されると共に、他端が移動ブロック（６８）の位置決めブロック（６８１）に位置決められる。
【考案の開示】
【考案が解決しようとする課題】
【０００６】
しかしながら、上記全ての部材を組合せる際、斜めのように本体（６０）に挿入すると共に、固定プレート（６３０）を湾曲させることによって移動ブロック（６８）を固定させるので、非常に面倒である。
【０００７】
そこで、案出されたのが本考案であって、製造簡単及び低コストの携帯電話の蝶番を提供することを目的としている。
【課題を解決するための手段】
【０００８】
本願の請求項１の考案は、一端に開口（１００）が形成され、他端に十字状溝（１０１）が形成される本体（１０）と、開口（１００）を通じて本体（１０）の内部に挿入するスプリング（１１）と、開口（１００）を通じて本体（１０）の内部に挿入すると共に、前記スプリング（１１）と接触し、スプリング（１１）と対向する一端に中央に貫通孔（１２１）を有する波浪面（１２０）が設けられる移動ブロック（１２）と、一端に移動ブロック（１２）の波浪面（１２０）に合わせる波浪面（１３０）が設けられると共に、中央に貫通孔（１３１）が形成される回転ブロック（１３）と、前記回転ブロック（１３）、移動ブロック（１２）、スプリング（１１）と本体（１０）の十字状溝（１０１）を貫通し、一端に外径が回転ブロック（１３）における貫通孔（１３１）の内径より大きくの突出リング（１４０）が設けられると共に、他端の付近に外径がより小さい、十字状溝（１０１）の中央内径より大きくの小径部（１４１）が設けられる貫通軸（１４）とを備えることを特徴とする携帯電話の蝶番及び、
本願の請求項２の考案は、前記波浪面（１２０）と異なる移動ブロック（１２）の一端に、スプリングを位置決めるための位置決めブロック（１２２）が設けられることを特徴とする請求項１に記載の携帯電話の蝶番、を提供する。
【考案の効果】
【０００９】
本考案は上記の課題を解決するものであり、スプリング、移動ブロックを順番に本体の内部に挿入させ、小径部を有する貫通軸の一端が回転ブロック、移動ブロック、スプリングと本体の十字状溝を貫通することにより、全ての部材を組合せることができるので、製造には非常に簡単である
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る携帯電話の蝶番を示す斜視図であり、図２は本考案に係る携帯電話の蝶番を示す分解斜視図であり、図３は本考案に係る携帯電話の蝶番を示す断面図であり、図４は本考案に係る携帯電話の蝶番の使用状態を示す斜視図である。
【００１２】
図１乃至図４に示すように、本考案に係る携帯電話の蝶番は一端に開口（１００）が形成され、他端に十字状溝（１０１）が形成される本体（１０）と、開口（１００）を通じて本体（１０）の内部に挿入するスプリング（１１）と、開口（１００）を通じて本体（１０）の内部に挿入すると共に、前記スプリング（１１）と接触し、スプリング（１１）と対する一端に位置決めブロック（１２２）が設けられると共に、他端に中央に貫通孔（１２１）を有する波浪面（１２０）が設けられる移動ブロック（１２）と、一端に移動ブロック（１２）の波浪面（１２０）に合わせる波浪面（１３０）が設けられると共に、中央に貫通孔（１３１）が形成される回転ブロック（１３）と、前記回転ブロック（１３）、移動ブロック（１２）、スプリング（１１）と本体（１０）の十字状溝（１０１）を貫通し、一端に外径が回転ブロック（１３）における貫通孔（１３１）の内径より大きくの突出リング（１４０）が設けられると共に、他端の付近に外径がより小さい、十字状溝（１０１）の中央内径より大きくの小径部（１４１）が設けられる貫通軸（１４）とを備える。
【００１３】
本考案に係る携帯電話の蝶番をを組合せる際、前記スプリング（１１）、移動ブロック（１２）を順番に本体（１０）の内部に挿入させ、小径部（１４１）を有する貫通軸（１４）の一端が回転ブロック（１３）、移動ブロック（１２）、スプリング（１１）と本体（１０）の十字状溝（１０１）を貫通することにより、小径部（１４１）を本体（１０）の十字状溝（１０１）に固定させる。
【００１４】
前記回転ブロック（１３）、移動ブロック（１２）及びスプリング（１１）の作動方式は従来と等しいため、説明を省略する。
【産業上の利用可能性】
【００１５】
本考案は上記の構成を有するので、スプリング、移動ブロックを順番に本体の内部に挿入させ、小径部を有する貫通軸の一端が回転ブロック、移動ブロック、スプリングと本体の十字状溝を貫通することにより、全ての部材を組合せることができるので、製造には非常に簡単である。
【図面の簡単な説明】
【００１６】
【図１】本考案に係る携帯電話の蝶番を示す斜視図である。
【図２】本考案に係る携帯電話の蝶番を示す分解斜視図である。
【図３】本考案に係る携帯電話の蝶番を示す断面図である。
【図４】本考案に係る携帯電話の蝶番の使用状態を示す斜視図である。
【図５】従来の携帯電話の蝶番を示す斜視図である。
【図６】従来の携帯電話の蝶番を示す分解斜視図である。
【符号の説明】
【００１７】
１０        本体
１００      開口
１０１      十字状溝
１１        スプリング
１２        移動ブロック
１２０      波浪面
１２１      貫通孔
１２２      位置決めブロック
１３        回転ブロック
１３０      波浪面
１３１      貫通孔
１４        貫通軸
１４０      突出リング
１４１      小径部
６０        本体
６１        封閉端
６２        開口
６２０      貫通孔
６３        溝
６３０      固定プレート
６５        回転ブロック
６５０      位置決めロッド
６６        方形回転ブロック
６７        波浪面
６８        移動ブロック
６８０      位置決め孔
６８１      位置決めブロック
６９        波浪面
７０        スプリング
【図１】
0003101910.tif 000003
【図２】
0003101910.tif 000004
【図３】
0003101910.tif 000005
【図４】
0003101910.tif 000006
【図５】
0003101910.tif 000007
【図６】
0003101910.tif 000008